(57)【要約】      （修正有）【課題】ころを保持器のポケットへ圧入する際に、ころの端部や鍔に擦過傷が生じないようにすることである。【解決手段】ころ３をポケット５に内径側から圧入するようにしたものにおいて、ころ３の直径をｄ、ポケット５の内径側の開口幅をＷ、ポケット５の内径側の開口のピッチ円直径をＤp iとしたときに、円環部４aの外径Ｄoを、（１）式の範囲とすることにより、ころ３を柱部４ｂ間の開口縁に押し当てたときに、ころ３を円環部４ａの外径面より突出させ、この円環部４ａの外径面から突出させたころ３の端部を、円環部４ａの外径面に沿わされる外輪１の鍔１ｂで軸方向へ案内しながら、ころ３をポケット５へ圧入するようにした。2007263292.tif 000011【選択図】図３
2007263292.tif 000002
【特許請求の範囲】
【請求項１】
外径面が外輪の鍔に沿わされる軸方向に離間した複数の円環部を、円周方向で複数の柱部で結合して、これらの円環部と柱部で区画されたポケットに内径側からころを圧入するようにし、このころを圧入するポケットの内径側の柱部間の開口幅を、ころの直径よりも狭く形成したころ軸受用保持器において、前記ころを前記ポケットの内径側の柱部間の開口縁に押し当てたときに、ころを前記円環部の外径面より突出させるようにしたことを特徴とするころ軸受用保持器。
【請求項２】
前記ころの直径をｄ、前記ポケットの内径側の開口幅をＷ、このポケットの内径側の開口のピッチ円直径をＤp iとしたときに、前記円環部の外径Ｄoを、（１）式の範囲とした請求項１に記載のころ軸受用保持器。
【数１】
2007263292.tif 000009
【請求項３】
内径面が内輪の鍔に沿わされる軸方向に離間した複数の円環部を、円周方向で複数の柱部で結合して、これらの円環部と柱部で区画されたポケットに外径側からころを圧入するようにし、このころを圧入するポケットの外径側の柱部間の開口幅を、ころの直径よりも狭く形成したころ軸受用保持器において、前記ころを前記ポケットの外径側の柱部間の開口縁に押し当てたときに、ころを前記円環部の内径面より突出させるようにしたことを特徴とするころ軸受用保持器。
【請求項４】
前記ころの直径をｄ、前記ポケットの外径側の開口幅をＷ、このポケットの外径側の開口のピッチ円直径をＤp oとしたときに、前記円環部の内径Ｄiを、（２）式の範囲とした請求項３に記載のころ軸受用保持器。
【数２】
2007263292.tif 000010
【発明の詳細な説明】
【技術分野】
【０００１】
本発明は、ころ軸受用保持器に関する。
【背景技術】
【０００２】
ころ軸受用保持器には、軸方向に離間した複数の円環部を、円周方向で複数の柱部で結合して、これらの円環部と柱部で区画されたポケットにころを半径方向から圧入するようにしたものがある（例えば、特許文献１参照）。
【０００３】
この種のころ軸受用保持器のポケットにころを圧入する際には、保持器の円環部を、外輪または内輪の軌道面の両側に設けられた鍔に沿わせてセットし、保持器を外輪側に沿わせてセットする場合は、ころが内径側からポケットに圧入され、保持器を内輪側に沿わせてセットする場合は、ころが外径側からポケットに圧入されて、各ころが鍔の間の軌道面に配列される。これらのころが圧入されるポケットの内径側または外径側の柱部間の開口幅は、ころの抜け落ちを防止するために、ころの直径よりもわずかに狭く形成されており、ころはこの狭く形成された柱部間の開口縁に押し当てられた状態でポケットへ圧入される。
【０００４】
【特許文献１】特開平１１−２１８１３５号公報
【発明の開示】
【発明が解決しようとする課題】
【０００５】
上述したようなころ軸受用保持器を用いるころ軸受では、ころを柱部間の開口縁に押し当てた状態でポケットへ圧入する際に、ころが軸方向へずれて軌道面のいずれか一方の鍔に強く当たり、ころの端部や鍔に擦過傷が生じることがある。このような擦過傷は、軸受使用時にころの軸方向移動を規制する鍔との間の焼付きの原因ともなる。
【０００６】
そこで、本発明の課題は、ころを保持器のポケットへ圧入する際に、ころの端部や鍔に擦過傷が生じないようにすることである。
【課題を解決するための手段】
【０００７】
上記の課題を解決するために、本発明は、外径面が外輪の鍔に沿わされる軸方向に離間した複数の円環部を、円周方向で複数の柱部で結合して、これらの円環部と柱部で区画されたポケットに内径側からころを圧入するようにし、このころを圧入するポケットの内径側の柱部間の開口幅を、ころの直径よりも狭く形成したころ軸受用保持器において、前記ころを前記ポケットの内径側の柱部間の開口縁に押し当てたときに、ころを前記円環部の外径面より突出させるようにした構成を採用した。
【０００８】
すなわち、ころをポケットの内径側の柱部間の開口縁に押し当てたときに、ころを円環部の外径面より突出させることにより、この円環部の外径面から突出させたころの端部を、円環部の外径面に沿わされる外輪の鍔で軸方向へ案内しながら、ころをポケットへ圧入するようにし、ころの端部や鍔に擦過傷が生じないようにした。
【０００９】
前記ころの直径をｄ、前記ポケットの内径側の開口幅をＷ、このポケットの内径側の開口のピッチ円直径をＤp iとしたときに、前記円環部の外径Ｄoを、（１）式の範囲とすることにより、ころをポケットの内径側の柱部間の開口縁に押し当てたときに、ころを円環部の外径面より突出させることができる。
【数３】
2007263292.tif 000003
【００１０】
図７は、前記ころ３を内径側から保持器４のポケット５に圧入する際に、ころ３を保持器４の柱部４ｂ間の開口縁に押し当てた状態を示す。この図では、説明を分かりやすくするために、保持器４の円環部４ａと柱部４ｂの外径を等しくしている。図７において、ころ３が円環部４ａの外径側へ突出する条件は（１１）式で表される。
Ａ  ＜Ｂ−Ｃ                                                        （１１）
ここで、Ａ、Ｂ、Ｃは、幾何学的な関係によって決まり、それぞれ（１２）〜（１４）式で表される。
【数４】
2007263292.tif 000004
したがって、（１２）〜（１４）式を（１１）式に代入して整理することにより、（１）式が得られる。
【００１１】
また、本発明は、内径面が内輪の鍔に沿わされる軸方向に離間した複数の円環部を、円周方向で複数の柱部で結合して、これらの円環部と柱部で区画されたポケットに外径側からころを圧入するようにし、このころを圧入するポケットの外径側の柱部間の開口幅を、ころの直径よりも狭く形成したころ軸受用保持器において、前記ころを前記ポケットの外径側の柱部間の開口縁に押し当てたときに、ころを前記円環部の内径面より突出させるようにした構成も採用した。
【００１２】
すなわち、ころをポケットの外径側の柱部間の開口縁に押し当てたときに、ころを円環部の内径面より突出させることにより、この円環部の内径面から突出させたころの端部を、円環部の内径面に沿わされる内輪の鍔で軸方向へ案内しながら、ころをポケットへ圧入するようにし、ころの端部や鍔に擦過傷が生じないようにした。
【００１３】
前記ころの直径をｄ、前記ポケットの外径側の開口幅をＷ、このポケットの外径側の開口のピッチ円直径をＤp oとしたときに、前記円環部の内径Ｄiを、（２）式の範囲とすることにより、ころを柱部間の開口縁に押し当てたときに、ころを円環部の内径面より突出させることができる。
【数５】
2007263292.tif 000005
【００１４】
図８は、前記ころ３を外径側から保持器４のポケット５に圧入する際に、ころ３を保持器４の柱部４ｂ間の開口縁に押し当てた状態を示す。この図でも、説明を分かりやすくするために、保持器４の円環部４ａと柱部４ｂの内径を等しくしている。図８において、ころ３が円環部４ａの内径側へ突出する条件は（２１）式で表される。
Ｅ  ＜Ｆ＋Ｇ                                                        （２１）
ここで、Ｅ、Ｆ、Ｇは、幾何学的な関係によって決まり、それぞれ（２２）〜（２４）式で表される。
【数６】
2007263292.tif 000006
したがって、（２２）〜（２４）式を（２１）式に代入して整理することにより、（２）式が得られる。
【発明の効果】
【００１５】
本発明のころ軸受用保持器は、ころをポケットに内径側から圧入するようにしたものにおいて、ころをポケットの内径側の柱部間の開口縁に押し当てたときに、ころを円環部の外径面より突出させるようにしたので、この円環部の外径面から突出させたころの端部を、円環部の外径面に沿わされる外輪の鍔で軸方向へ案内しながら、ころをポケットへ圧入するようにし、ころの端部や鍔に擦過傷が生じないようにすることができ、この擦過傷による軸受使用時のころと鍔間の焼付きも防止することができる。
【００１６】
また、本発明のころ軸受用保持器は、ころをポケットに外径側から圧入するようにしたものにおいて、ころをポケットの外径側の柱部間の開口縁に押し当てたときに、ころを円環部の内径面より突出させるようにしたので、この円環部の内径面から突出させたころの端部を、円環部の内径面に沿わされる内輪の鍔で軸方向へ案内しながら、ころをポケットへ圧入するようにし、ころの端部や鍔に擦過傷が生じないようにすることができ、この擦過傷による軸受使用時のころと鍔間の焼付きも防止することができる。
【発明を実施するための最良の形態】
【００１７】
以下、図面に基づき、本発明の実施形態を説明する。図１は、第１の実施形態のころ軸受用保持器４を用いたころ軸受を示す。このころ軸受は、外輪１の内径面に設けられた軌道面１ａと、内輪２の外径面に設けられた軌道面２ａとの間に、複数のころ３を保持器４で保持したものであり、外輪１の軌道面１ａの両側に、ころ３の軸方向移動を規制する鍔１ｂが設けられている。
【００１８】
図２に示すように、前記保持器４は、軸方向に離間した２つの円環部４ａを、円周方向で複数の柱部４ｂで結合したものであり、これらの円環部４ａと柱部４ｂで区画されたポケット５に、ころ３が内径側から圧入されるようになっている。この保持器４は、円環部４ａと柱部４ｂの外径面および内径面が等径とされ、円環部４ａと柱部４ｂの肉厚が等しく形成されている。
【００１９】
図３（ａ）、（ｂ）に示すように、前記ころ３を保持器４のポケット５に内径側から圧入する際には、保持器４の円環部４ａを、外輪１の軌道面１ａの両側に設けられた鍔１ｂに沿わせてセットし、ころ３を柱部４ｂ間の内径側の開口縁に押し当てた状態でポケット５へ圧入する。各柱部４ｂの側面は、ころ３の転動面に沿うように円弧状に形成され、柱部４ｂ間の内径側の開口幅は、ころ３の抜け落ちを防止するために、ころ３の直径よりもわずかに狭く形成されている。
【００２０】
図３（ａ）に示したように、前記ころ３の直径をｄ、ポケット５の内径側の開口幅をＷ、これらの内径側の開口のピッチ円直径をＤp iとすると、円環部の外径Ｄoは、（１）式の範囲を満足するように形成されており、ころ３を柱部４ｂ間の開口縁に押し当てたときに、ころ３が円環部４ａの外径面よりも外径側へ突出するようになっている。
【数７】
2007263292.tif 000007
したがって、この円環部４ａの外径面から突出させたころ３の端部を、円環部４ａの外径面に沿わされる外輪１の鍔１ｂで軸方向へ案内しながら、ころ３をポケット５へ圧入することができ、ころ３の端部や鍔１ｂに擦過傷が生じないようにすることができる。
【実施例１】
【００２１】
前記ころ３の直径ｄを３８ｍｍ、ポケット５の内径側の開口幅Ｗを３７．９ｍｍ、これらの内径側の開口のピッチ円直径Ｄp iを２５５ｍｍとした。この実施例では、（１）式より、円環部の外径Ｄo＜２８７．４ｍｍとすることで、柱部４ｂ間の開口縁に押し当てたころ３を、円環部４ａの外径面より突出させることができる。
【００２２】
図４は、第２の実施形態のころ軸受用保持器４を用いたころ軸受を示す。このころ軸受も、外輪１の内径面に設けられた軌道面１ａと、内輪２の外径面に設けられた軌道面２ａとの間に、複数のころ３を保持器４で保持したものであり、内輪２の軌道面２ａの両側に、ころ３の軸方向移動を規制する鍔２ｂが設けられている点が、第１の実施形態のものと異なる。
【００２３】
図５に示すように、前記保持器４は、軸方向に離間した２つの円環部４ａを、円周方向で複数の柱部４ｂで結合したものであり、これらの円環部４ａと柱部４ｂで区画されたポケット５に、ころ３が外径側から圧入されるようになっている。第１の実施形態のものと同様に、円環部４ａと柱部４ｂの外径面および内径面は等径とされている。
【００２４】
図６（ａ）、（ｂ）に示すように、前記ころ３を保持器４のポケット５に外径側から圧入する際には、保持器４の円環部４ａを、内輪２の軌道面２ａの両側に設けられた鍔２ｂに沿わせてセットし、ころ３を柱部４ｂ間の外径側の開口縁に押し当てた状態でポケット５へ圧入する。第１の実施形態のものと同様に、各柱部４ｂの側面は、ころ３の転動面に沿うように円弧状に形成され、柱部４ｂ間の外径側の開口幅は、ころ３の抜け落ちを防止するために、ころ３の直径よりもわずかに狭く形成されている。
【００２５】
図６（ａ）に示したように、前記ころ３の直径をｄ、ポケット５の外径側の開口幅をＷ、これらの外径側の開口のピッチ円直径をＤp oとすると、円環部の内径Ｄiは、（２）式の範囲を満足するように形成されており、ころ３を柱部４ｂ間の開口縁に押し当てたときに、ころ３が円環部４ａの内径面よりも内径側へ突出するようになっている。
【数８】
2007263292.tif 000008
したがって、この円環部４ａの内径面から突出させたころ３の端部を、円環部４ａの内径面に沿わされる内輪２の鍔２ｂで軸方向へ案内しながら、ころ３をポケット５へ圧入することができ、ころ３の端部や鍔２ｂに擦過傷が生じないようにすることができる。
【実施例２】
【００２６】
前記ころ３の直径ｄを１４ｍｍ、ポケット５の外径側の開口幅Ｗを１３．６ｍｍ、これらの外径側の開口のピッチ円直径Ｄp oを９３．５ｍｍとした。この実施例では、（２）式より、円環部の内径Ｄi＞８１．９ｍｍとすることで、柱部４ｂ間の開口縁に押し当てたころ３を、円環部４ａの内径面より突出させることができる。
【００２７】
上述した各実施形態では、ころ軸受用保持器の円環部と柱部の外径面および内径面を等径としたが、円環部と柱部の外径面や内径面は異なる直径としてもよい。また、本発明に係るころ軸受用保持器は、３つ以上の円環部を柱部で結合した複列ころ軸受用のものとすることもできる。
【図面の簡単な説明】
【００２８】
【図１】第１の実施形態のころ軸受用保持器を用いたころ軸受を示す縦断正面図
【図２】図１の保持器を示す斜視図
【図３】ａは図２の保持器のポケットにころを圧入する前の状態を示す横断側面図、ｂはａのIIIb−IIIb線に沿った断面図
【図４】第２の実施形態のころ軸受用保持器を用いたころ軸受を示す縦断正面図
【図５】図４の保持器を示す斜視図
【図６】ａは図５の保持器のポケットにころを圧入する前の状態を示す横断側面図、ｂはａのVIb−VIb線に沿った断面図
【図７】ころを内径側から保持器のポケットに圧入するときの幾何学的関係を説明する断面図
【図８】ころを外径側から保持器のポケットに圧入するときの幾何学的関係を説明する断面図
【符号の説明】
【００２９】
１  外輪
２  内輪
１ａ、２ａ  軌道面
１ｂ、２ｂ  鍔
３  ころ
４  保持器
４ａ  円環部
４ｂ  柱部
５  ポケット
【図１】
2007263292.tif 000012
【図２】
2007263292.tif 000013
【図３】
2007263292.tif 000014
【図４】
2007263292.tif 000015
【図５】
2007263292.tif 000016
【図６】
2007263292.tif 000017
【図７】
2007263292.tif 000018
【図８】
2007263292.tif 000019